(57)【要約】      （修正有）【解決手段】亜リン酸、又は亜リン酸塩、又は両方をキトサンの水溶液に加え、次に肥料成分を加える事により亜リン酸、亜リン酸塩の効果を持続させる製造方法。【効果】一定濃度に薄めて葉面散布した場合、茎、葉に付着し脱落しにくく、更に乾燥すると肥料成分を含んで皮膜を形成するため、肥料成分が長期間付着しており、土壌粒子に付着した場合も同様に強固に付着し、容易に流亡しない。皮膜により空気と遮断されるため、亜リン酸（塩）は酸化されず、長期に安定している。このため病原菌による病気の発生を長期に防止できるようになる。さらにリンの吸収が良くなるため、農薬の使用量の減少とリン酸肥料の減少につながる。【選択図】なし【特許請求の範囲】
【請求項１】
【０００２】亜リン酸水溶液にキトサンを溶解する。次に公知の肥料成分を加え溶解することを特徴とする肥料組成物の製造法。
【請求項２】
【０００３】亜リン酸、又は亜リン酸塩、又は両方をキトサン水溶液に加え溶解する。次に公知の肥料成分を加え溶解することを特徴とする肥料組成物の製造法。
【発明の詳細な説明】
【要約】
【０００１】  亜リン酸、亜リン酸塩の効果を持続性とする組成物の製造方法。
【発明の詳細な説明】
【０００４】近年、世界的に農業に対する世論の声は厳しく、特に農薬の散布に対し忌避されている。このような農産物に対する消費者の声に十分こたえることが重要である。これらの要望に対しリン酸肥料の一種である亜リン酸および亜リン酸塩はリン酸肥料として利用されるが、
【０００５】殺菌性を有すること、リン酸肥料の代替になることが既に公知である（特公昭５６−４１６０３号、ＵＳＰ４０７５３２４、特開平７−５９４１１）。亜リン酸（塩）をジカルボン酸（塩）、トリカルボン酸（塩）を併用する方法（ＵＳＰ５５１４２００、ＵＳＰ６１１３６６５、ＵＳＰ６６４５２６８）があるが、そ
【０００６】の効果は十分ではない。更に亜リン酸（塩）は空気中で容易に酸化されてリン酸（塩）になり、殺菌力が失われる欠点を有する。キトサンは農業の現場では多くの目的に沿って利用されており、例えば「キトサンの農業利用の理論と実際  技報堂出版  ２０００年１１月６
【０００７】日」に詳細な説明があるが、亜リン酸と併用して持続性とする技術と亜リン酸（塩）の酸化を防止する技術については知られていない。亜リン酸（塩）が農薬ではないにもかかわらず殺菌性を有することは農薬の使用量の減少につながり消費者の要求に合致するもので
【０００８】ある。これらの亜リン酸又は亜リン酸塩を原料とする葉面散布用の液肥は著しく低粘度で、ほとんど水と同等である。このため、葉面散布を行っても植物の葉、茎、土壌に付着してもわずかであり、わずかの雨、朝露によっても脱落し、土壌から流亡する。植物を病原菌
【０００９】から長期に守るためには、亜リン酸又は亜リン酸塩が植物の葉、茎、土壌に出来る限り長く付着し、亜リン酸（塩）がリン酸（塩）に酸化されるのを防ぐことが重要である。葉面からの吸収を良くするためにも、同じように重要である。亜リン酸、亜リン酸塩が植物に
【００１０】長期に付着させることが農薬散布と農作業の減少につながる。
本発明者等はこれらの亜リン酸、亜リン酸塩が長期間付着できないこと、空気中で容易に酸化されて殺菌力の無いリン酸（塩）に変化し、その効果を十分に発揮できない欠点を改
【００１１】良すべく研究を行った結果、本発明を完成させた。すなわち本発明は１）亜リン酸の水溶液にキトサンを溶解し、次に肥料成分を加える。２）亜リン酸、又は亜リン酸塩、又は両方をキトサンの水溶液に加え、次に肥料成分を加えることにより行われる。このようにし
【００１２】て得られた亜リン酸、亜リン酸塩、キトサン、肥料成分を含む水溶液は粘稠な液体であり、水と任意に混合溶解する。一定濃度に薄めて葉面散布した場合、茎、葉に付着し脱落しにくく、更に乾燥すると肥料成分を含んで皮膜を形成するため、空気と遮断され肥料成分が
【００１３】長期間付着している。土壌粒子に付着した場合も同様に強固に付着し、容易に流亡せず、亜リン酸（塩）も長期に安定している。このため病原菌による病気の発生を長期に防止できるようになる。さらにリンの吸収が良くなるため、農薬の使用量の減少とリン酸肥料の
【００１４】減少につながり、更に農作業が減少する。本発明は全体の農業コストの削減と消費者の要望に沿う現代社会の要望に適応した重要な発明である。
次に本発明の実施について述べる。本発明において使用されるキトサンはカニ、エビの殻
【００１５】を苛性ソーダなどで加水分解した製品が数多く市販されており、これらのすべてが利用可能である。粘度調整のために分子量の小さいものから大きいものまで目的に合わせて利用される。亜リン酸塩としては、通常一または二カリウム塩、一または二アンモニウム塩通
【００１６】常一または二ナトリウム塩である。
公知の肥料成分として第一または第二リン酸カリウム、第一または第二リン酸アンモニウム、尿素、アミノ酸、蛋自分解アミノ酸、塩化アンモニウム、硫酸アンモニウム、塩化カ
【００１７】ルシウム、塩化マグネシウム、塩化カリウム、硫酸カリウム等である。微量要素としては二価鉄塩、亜鉛塩、銅塩、モリブデン酸塩、ホウ酸、マンガン塩、コバルト塩等である。その他、酸化防止剤、溶解補助剤、安定剤、展着剤、防腐剤、植物活性剤、組成均一化促
【００１８】進剤、発酵促進剤、効果発現促進剤等が使用される。例えば、ビート糖密、サトウキビ糖密、果糖ブドウ糖液、アミノ糖、単糖類、多糖類、クエン酸、リンゴ酸、乳酸、グルコン酸、核酸、植物ホルモン、サイトカイニン、ビタミン類、海藻エキス、グリセリン、長鎖
【００１９】脂肪酸ポリグリセリド、ソルビン酸カリウム、安息香酸ナトリウム、亜硫酸カリウム、亜硫酸ナトリウム、アスコルビン酸等が主に使用される。本発明に使用されるキトサン水溶液は各種の酸の溶液として得られる。例えば、リン酸水溶液、酢酸水溶液、クエン酸水溶
【００２０】液、乳酸水溶液、グリコール酸水溶液、グルコン酸水溶液、リンゴ酸水溶液等があるが特に限定されるものではない。本発明において使用される成分の割合は限定されるものではなく、植物の種類、生長のステージ、気温、天候により変化するのが通常である。
以下実施例により説明するが、これに限定されるものではない。
【００２１】実施例１
８５％リン酸２５０ｇ、水１００ｇ、キトサン５ｇを７０℃で３０分撹拌する。粘稠な液となる。これに亜リン酸二カリウム３０ｇ、尿素５０ｇ、糖蜜１００ｇを加えて撹拌すると、褐色透明な粘稠性液体肥料が得られる。  粘度２５℃  ５，５００  Ｃ．Ｐ．Ｓ．
【００２２】実施例２
亜リン酸５０ｇ、水１２０ｇ、キトサン７ｇを７０℃で３０分撹拌する。これに尿素１０ｇ、リン酸水素二カリウム１０ｇ、糖蜜５５ｇを加え撹拌すると褐色透明な粘稠性液体肥料が得られる。  粘度２５℃  ７，０００  Ｃ．Ｐ．Ｓ．
【００２３】実施例３
亜リン酸５０ｇ、クエン酸１５ｇ、水１００ｇ、キトサン５ｇを４０℃で１時間撹拌する。これに以下の成分を加える。透明粘稠性液体肥料が得られる。
１．      Ｌ−グルタミン酸ジナトリウム  １ｇ
２．      Ｌ−グルタミン                ２ｇ
３．      グリシン                      ２ｇ
４．      グリコシアミン                ０．５ｇ
５．      Ｌ−アラニン                  ０．５ｇ
６．      Ｌ−プロリン                  ０．１ｇ
７．      Ｌ−メチオニン                ０．５ｇ
８．      グルコサミン塩酸塩            １ｇ
９．      Ｌ−リンゴ酸                  ５ｇ
１０．    ビタミンＣ                    ３ｇ
１１．    マンニット                    １ｇ
１２．    Ｌ−リジン                    １ｇ
１３．    Ｌ−アルギニン                １ｇ
１４．    Ｌ−セリン                    ０．５ｇ
１５．    Ｌ−フェニルアラニン          ０．５ｇ
【００２４】実施例４
クエン酸１５ｇ、キトサン３ｇ、水９０ｇを５０℃で１時間撹拌溶解する。これに亜リン酸モノカリウム３５ｇを加え撹拌するとペースト状液体肥料が得られる。
【００２５】実施例５
クエン酸２０ｇ、キトサン３ｇ、水９０ｇを５０℃で１時間撹拌溶解する。これに亜リン酸ジカリウム２５ｇを加える。少し発熱し溶解するが、室温で乳濁した。クリーム状の液体肥料が得られる。
【００２６】実施例６
亜リン酸３５ｇ、クエン酸１７．５ｇ、キトサン３ｇ、水９０ｇを５０℃で１時間撹拌溶解する。これにリン酸水素二カリウム１０ｇ、尿素２０ｇ、硫酸マンガン２００ｍｇ、塩化亜鉛１００ｍｇ、モリブデン酸アンモニウム５０ｍｇ、ホウ酸０．５ｇを加える。透明粘稠な液体肥料が得られる。粘度  ２５℃  １，２００  Ｃ．Ｐ．Ｓ．
【００２７】実施例７
亜リン酸４０ｇ、クエン酸１２．５ｇ、キトサン３ｇ、水１００ｇを５０℃で１時間撹拌溶解する。これにグルテン分解アミノ酸（４０％塩化アンモニウム含む）１０ｇを加え溶解する。淡褐色粘稠な液体肥料が得られる。粘度  ２５℃  ２，２００  Ｃ．Ｐ．Ｓ．
【００２８】実施例８
水７０ｇに亜リン酸１８ｇを加えた溶液にキトサン２ｇを加え４０℃２時間撹拌する。透明高粘性溶液が得られる。これに亜リン酸モノカリウム１２ｇを加え溶解すると高粘性透明な液体肥料が得られる。
粘度２５℃  １，６００  Ｃ．Ｐ．Ｓ．
【００２９】実施例９
水７０ｇに亜リン酸９ｇを加えた溶液にキトサン２ｇを加え４０℃２時間撹拌する。透明高粘性溶液が得られる。これにグルテン分解アミノ酸（塩化アンモニウム４０％含有）１０ｇを加え溶解すると高粘度の半ペースト状の液体肥料が得られる。
【００３０】実施例１０
水７０ｇに亜リン酸１８ｇを加えた溶液にキトサン２ｇを加え４０℃２時間撹拌する。これに、亜リン酸モノカリウム１２ｇ、グルテン分解アミノ酸（塩化アンモニウム４０％含有）１０ｇを加え溶解すると高粘度の半ペースト状の液体肥料が得られる。
粘度  ２５℃  ２，５００  Ｃ．Ｐ．Ｓ．
【００３１】実施例１１
水７０ｇに亜リン酸１８ｇを加えた溶液にキトサン２ｇを加え４０℃２時間撹拌する。これに、亜リン酸モノカリウム１２ｇ加える。次に塩化カルシウム二水塩１ｇ、塩化マグネシウム六水塩１ｇ、ビート糖蜜１０ｇを溶解し、褐色透明粘稠液体肥料を得られる。
粘度  ２５℃  １，８００  Ｃ．Ｐ．Ｓ．
【００３２】実施例１２
水７０ｇに亜リン酸９ｇを加えた溶液にキトサン２ｇを加え４０℃２時間撹拌する。これに亜リン酸モノカリウム１３．２ｇ、クエン酸６ｇを加え、透明粘稠な液体肥料を得られる。
室温に放置しておくと半透明となる。
粘度  ２５℃  ２，８００  Ｃ．Ｐ．Ｓ．